(57)【要約】【課題】電子部品と信号線の接続箇所がフレームの内部にある装置において、フレームの解体などをせずに、電子部品及び信号線の交換ができるようにする。【解決手段】電子部品１と信号線３−１の接続箇所がパイプ構造の部材であるフレーム２の内部にある。フレーム２の内部に線長に余裕を持たせて信号線３−１を通し、電子部品１との接続箇所をフレーム２の外部とする。信号線３−１を迂回させて信号線の部分を保護する保護部材９を有する。このような構造体内の電子部品交換構造で、信号線３−１の接続端子をフレーム２の外部に固定する。信号線３−１の迂回を解き、電子部品１をフレーム２から取り外すと、信号線３−１の線長に余裕を持たせておいた分だけ電子部品１を移動させることができ、接続箇所３−２をフレーム２の外へ出すことができる。これによりフレーム２を解体することなく、接続箇所３−２へ直接にアクセスでき、電子部品１の交換を実施できる。【選択図】図３
2017003716.tif 000002
【特許請求の範囲】
【請求項１】
電子部品と信号線の接続箇所がパイプ構造の部材の内部にあり、
前記パイプ構造の部材の内部に前記信号線を通した構造において、
前記信号線を迂回させ、該迂回させた前記信号線の部分を保護する部材を有し、
前記電子部品と前記信号線の接続箇所を前記パイプ構造の部材の外部に移動可能とすることを特徴とする構造体内の電子部品交換構造。
【請求項２】
請求項１の構造体内の電子部品交換構造において、  
前記信号線の接続端子を前記パイプ構造の部材の外部で固定する、
ことを特徴とする構造体内の電子部品交換構造。
【請求項３】
請求項１の構造体内の電子部品交換構造において、
前記信号線の接続端子を前記パイプ構造の部材の外部に留める構造を有する、
ことを特徴とする構造体内の電子部品交換構造。
【請求項４】
請求項１乃至３の構造体内の電子部品交換構造において、
前記パイプ構造の部材の外部に中継コネクタを設けて前記信号線を分離する構造を有する、
ことを特徴とする構造体内の電子部品交換構造。
【請求項５】
請求項１の構造体内の電子部品交換構造において、
前記パイプ構造の部材の外部に固定できる保護部材を有する、
ことを特徴とする構造体内の電子部品交換構造。
【請求項６】
請求項１の構造体内の電子部品交換構造において、
前記信号線の迂回箇所を視認できる保護部材を有する、
ことを特徴とする構造体内の電子部品交換構造。
【請求項７】
請求項１乃至６のいずれか一項に記載の構造体内の電子部品交換構造を具備することを特徴とする機器。
【請求項８】
請求項１乃至６のいずれか一項に記載の構造体内の電子部品交換構造を具備する機器であることを特徴とする画像形成装置。
【発明の詳細な説明】
【技術分野】
【０００１】
本発明は、構造体内の電子部品交換構造、及びこの構造を用いた画像形成装置等の機器に関する。
【背景技術】
【０００２】
構造体内の電子部品交換構造としては、例えば、新規投入資源量の削減とマシン重量の軽量化のために、板金の板厚を下げるとともに、コの字の板金を組み合わせて角柱状（ロの字形状）のフレームとすることで、本体構造体として不可欠である剛性を確保しているものがある。このような角柱状のフレームに例えばインタロックスイッチのような電子部品を設置する場合、周囲の可動物と信号線が挟まって破損することを防ぐため、あるいは、フレームと外装カバーの間に信号線が通過する空間を設けることで装置のサイズが大きくなってしまうことを防ぐため、場所によっては電子部品と信号線の接続箇所、信号線（ハーネス）がフレームの内部に存在させている（例えば特許文献１参照）。
【０００３】
角柱状のフレームの内部に電子部品と信号線の接続箇所がある構造の場合、
・電子部品と信号線の接続箇所に手が届かないので交換できないこと、
・交換するためにフレームを解体する作業が必要となること、
・構造体内の電子部品が一つ壊れただけでも、機械を丸々交換することになり、引き取った機械が廃棄処分等され得ること、
等の問題がある。
【０００４】
なお特許文献２には、画像形成装置において、信号線を配線する際に、作業手順が限定されることがなく操作性が向上するとともに、信号線にたるみが生じるのを確実に防止するとともに、信号線に接続されたコネクタを外す際の操作性を向上させた信号線の配線装置が開示されている。しかし、パイプ構造等の部材の内部に電子部品と信号線の接続箇所がある場合には交換できない。
【発明の概要】
【発明が解決しようとする課題】
【０００５】
本発明は、電子部品と信号線の接続箇所がフレームの内部にある装置において、フレームの解体などをせずに、電子部品及び信号線の交換ができる、構造体内の電子部品交換構造、この構造を用いた画像形成装置等の機器を提供することを目的とする。
【課題を解決するための手段】
【０００６】
本発明に係る構造体内の電子部品交換構造は、電子部品と信号線の接続箇所がパイプ構造の部材の内部にあり、前記パイプ構造の部材の内部に前記信号線を通した構造において、前記信号線を迂回させ、該迂回させた前記信号線の部分を保護する部材を有し、交換時には前記電子部品と前記信号線の接続箇所を前記パイプ構造の部材の外部まで移動可能とすることで、構造体内の電子部品交換な構造であることを特徴とする。
【発明の効果】
【０００７】
本発明によれば、
・この構造を用いた画像形成装置等の機器における電子部品の故障に対して、部品交換のみで修理を完了することができ、ユーザーのワークフローを止める時間を短くすることができ、
・部品交換のみで修理を完了することができるので、この構造を用いた画像形成装置等の機器が故障しても、その機器を丸ごと引き取って処分（廃棄）する必要がなくなり、環境負荷を低減することができる、
という効果を奏する。
【図面の簡単な説明】
【０００８】
【図１】パイプ構造の部材に電子部品を取り付ける際の配置の一例を示す図である。
【図２】本発明の第一の実施形態を示す図である。
【図３】図２で説明した第一の実施形態における電子部品の交換方法を示す図である。
【図４】本発明の第二の実施形態を示す図である。
【図５】本発明の第三の実施形態を示す図である。
【図６】本発明の第四の実施形態を示す図である。
【図７】本発明の第五の実施形態を示す図である。
【図８】本発明の第六の実施形態を示す図である。
【発明を実施するための形態】
【０００９】
本発明は、電子部品と信号線の接続箇所がパイプ構造の部材の内部にある装置に関して、以下の特徴を有する。
要するに、信号線の線長を電子部品と信号線の接続箇所がパイプ構造の部材の外部まで出せるだけの余裕を持たせる。このことで、接続箇所にアクセスできる状態まで電子部品を引き出すことができ、電子部品の交換ができる。また、信号線を迂回させた経路に着脱可のカバー部材を設ける。このことで、ユーザーの接触や周囲の部品との接触などによる破損を防止することができる。なお、本明細書におけるパイプ状との記載は、筒状の断面形状のみならずコの字状の断面形状等の類似の構造も含む。
【００１０】
上述の本発明の特徴について、以下の図面を用いて詳細に解説する。
参考のために、構造体内の電子部品交換構造の基本的な構成を説明する。図１はパイプ構造の部材に電子部品を取り付ける際の配置の一例を示す図である。電子部品１はパイプ状の構造のフレーム２の内部で信号線３−１と接続されている。信号線３−１はゆるみなく配線されているため、電子部品１をフレーム２との締結を外しても接続箇所３−２に届かない。そのため、電子部品と信号線の接続を離すことができない。信号線３−１がフレーム２の内部を通ろうとも外部を通ろうとも、接続箇所３−２がフレーム２の内部にあれば、この課題は変わらない。なお、接続箇所は図示していないが、図中の丸印（符号３−２で示す）を付した部位の辺りにある。信号線３−１は図の向きからみて触ることができる箇所を実線で、フレーム２の内部または電子部品１等の部品、部材等の裏側にあるものを点線で示している。
【００１１】
＜実施形態１＞
図２は本発明の第一の実施形態を示す図である。
本実施形態は、信号線３−１の線長に余裕を持たせ、迂回させた信号線３−１を保護する部材を設けた構成を有する。図中に符号５で示す破線円で囲んだ領域で信号線３−１を迂回させる。この時、信号線固定部品４を用いて信号線３−１の経路を定めてもよい。このようにあらかじめ信号線３−１を迂回させて線長に余裕を持たせた構成にしておくことでフレーム２に締結された電子部品１を外すときに接続箇所３−２をフレーム内部から外へ出すことができる。
【００１２】
なお、図２に示す構成が適用できる信号線３−１の数は１本に限らない。また、信号線３−１を迂回させる経路は図２の例に限定されず、迂回させやすい箇所を経路として用いればよい。また、保護部材９を信号線３−１の迂回箇所や迂回経路内に設置することで、迂回させた信号線３−１がはみ出るのを防ぎ、ユーザーの接触や周囲の部品との接触を防ぐことができる。
【００１３】
図３は、図２で説明した第一の実施形態における電子部品の交換方法を示す図である。
図２で説明した第一実施形態において、保護部材９を取り外して、信号線固定部品４のロックを外して信号線３−１の迂回を解き、電子部品１をフレーム２から取り外す。すると、図３に示すように信号線３−１の線長に余裕を持たせておいた分だけ電子部品１を移動させることができ、接続箇所３−２をフレーム２の外へ出すことができる。これによりフレーム２を解体することなく、接続箇所３−２へ直接にアクセスでき、電子部品１の交換を実施できる。
【００１４】
＜実施形態２＞
図４は本発明の第二の実施形態を示す図である。
本実施形態は、電子部品１を交換する際に信号線３−１の接続端子（電子部品１の裏側でかつパイプ状のフレーム２内で電子部品１に接続されている）をフレーム２の外部に固定する構成を有する。接続端子および接続端子に接続された信号線３−１を固定するための箇所６をフレーム２に追加することで、電子部品１の交換作業の際に接続端子をフレーム２の内部に落としてしまうことを防ぐ。これにより電子部品の交換作業が非効率になることを防ぐ。信号線を固定するための箇所についてはフレーム２がそのような機能を持つ構造でも、部品を追加する形でも構わない。また、その位置は周囲の部品構成と迂回させた信号線３−１に余裕を持たせた線長の値によって任意である。
【００１５】
＜実施形態３＞
図５は本発明の第三の実施形態を示す図である。
本実施形態も、電子部品１を交換する際に信号線３−１の接続端子をフレーム２の外部に留める構成を有する。例えばフレーム２に、信号線３−１は通るが、接続端子は通らないスリット７を設けておく。すると、スリット７の縁に接続端子を引っかけておくことができるので、フレーム２の内部に接続端子を落としてしまうことを防げる。また、図４に示した第二の実施形態と異なり、接続端子及び接続端子に接続された信号線３−１をフレーム２等に固定しないので、第二の実施形態での電子部品１の交換作業における「固定」と「固定の解除」の２工程が不要となり、交換作業が効率的に実施できる。すなわち、接続端子を固定しないので交換作業の際の手順が少ない。なお、スリット７の形状およびサイズについては図５に示したものに限定されない。信号線の太さや本数と接続端子の大きさによって任意である。また、スリット７のエッジ処理・保護についても求める機能によって適宜に処理、保護すればよい。
【００１６】
図６は本発明の第四の実施形態を示す図である。
本実施形態は、信号線３−１をパイプ構造のフレーム２の外部で中継コネクタに接続して信号線を分離する構成を有する。具体的には、外部からアクセスできる箇所に中継コネクタ８を追加して信号線を分離する。そのことで、電子部品１だけでなく、信号線単体でも交換でき、また接続端子を交換できる。中継コネクタ８の設置箇所についてはフレーム２の外部であれば任意である。なお、中継コネクタ８を図示するために保護部材９は図６では記載を省略してある。
【００１７】
図７は本発明の第五の実施形態を示す図である。
本実施形態は、保護部材９を固定可能とした構成を有する。固定可能な保護部材１０を用いることで、ユーザーの接触や周囲の部品との接触をより確実に防ぐことができる。すなわち、
・信号線３−１の経路を電子部品１と信号線の接続箇所がパイプ構造のフレーム２の外部まで出すために迂回させて余分な線長を持たせることで、接続箇所にアクセスできる状態まで電子部品１を引き出すことができ、電子部品１の交換ができ、
・また、信号線３−１を迂回させた経路に着脱可のカバー部材（保護部材１１）を設けることで、ユーザーの接触や周囲の部品との接触などによる破損を防止することができる。
これにより電子部品１の組付け時や電子部品１の交換時の失敗を防ぐことができる。なお図７ではネジ１０−１を用いて保護部材１０を固定しているが、スナップフィットなどの固定手段を採用することができ、図示の例には限定されない。また、着脱できる固定方法が好ましい。
【００１８】
図８は本発明の第六の実施形態を示す図である。
本実施形態は、保護部材９の内部を視認可能とした構成を有する。具体的には保護部材１１が多数の小孔１１−１を有し、信号線３−１を迂回させている箇所が視認できる。このような保護部材１１を用いることで、保護部材１１自身で信号線３−１を踏みつけていないか、挟み込んでいないか、周囲の部品と接触していないか等を確認できる。図７に示した実施形態のように信号線３−１を固定しても構わない。なお信号線３−１を迂回させている箇所を視認するための構造は、図示の例のものには限定されない。例えば保護部材１１自体を透明な素材で構成する等の手段を採用できる。
【００１９】
以上説明してきた本発明の各実施形態によれば、電子部品１と信号線３−１の接続箇所がパイプ構造のフレーム２の内部にあり、信号線３−１の経路の周辺に可動物がある装置において、ユーザーの接触を回避したり、可動の部品による破損を防止できる。また、フレーム２の解体などをせずに電子部品１を交換できる。
【００２０】
また本発明は以上説明した実施形態に限定されるものではなく、多くの変形が本発明の技術的思想内で当分野において通常の知識を有する者により可能である。例えば、角柱状に限らず、円柱状など周囲が囲まれているパイプ構造の部材においても適用できる。また本発明に係る構造体内の電子部品交換構造を用いた画像形成装置等の多くの機器において実施できる。
【符号の説明】
【００２１】
１        ：電子部品
２        ：フレーム
３−１    ：信号線
３−２    ：接続箇所
４        ：信号線固定部品
６        ：固定箇所
７        ：スリット
８        ：中継コネクタ
９        ：保護部材
１０      ：保護部材
１０−１  ：ネジ
１１      ：保護部材
１１−１  ：小孔
【先行技術文献】
【特許文献】
【００２２】
【特許文献１】実開昭５９−６７９８２号公報
【特許文献２】特開平９−２８９３８２号公報
【図１】
2017003716.tif 000003
【図２】
2017003716.tif 000004
【図３】
2017003716.tif 000005
【図４】
2017003716.tif 000006
【図５】
2017003716.tif 000007
【図６】
2017003716.tif 000008
【図７】
2017003716.tif 000009
【図８】
2017003716.tif 000010